(57)【要約】【課題】大型化及び高コスト化を招くことなく、光源から射出される複数の光束のビームピッチを精度良く調整することができる光源装置を提供する。【解決手段】  光学ハウジングの外壁１２０ａに取り付けられた状態で光源の角度調整を行うための調整機構（１４２Ａ、１４２Ｂ）は、いずれも主走査対応方向に移動（スライド）させることができる角棒４２と、該角棒４２における光源に対向する面に接着され、その表面に光源のステムが当接されるゴム板４２ａとを有している。この場合に、角棒４２を移動（スライド）させることで、光源の中心を通り該光源から射出される光束の主光線方向に平行な方向の軸回りに光源を回動することができる。【選択図】図１４
2010169775.tif 000002
【特許請求の範囲】
【請求項１】
円板状のステムに複数の発光部がマウントされている光源と；
前記光源が保持される保持部材と；
前記保持部材に取り付けられた前記光源におけるステムの外周面に接触した状態で接線方向に移動させることができる棒状部材と；を備える光源装置。
【請求項２】
前記保持部材には、前記棒状部材が移動する際の案内用の溝が形成されていることを特徴とする請求項１に記載の光源装置。
【請求項３】
前記保持部材は、前記棒状部材を摺動可能に支持するための支持部を有することを特徴とする請求項１又は２に記載の光源装置。
【請求項４】
前記支持部は、前記棒状部材を仮固定するための仮固定機構を有することを特徴とする請求項３に記載の光源装置。
【請求項５】
前記仮固定機構は、その先端部分によって前記棒状部材を前記保持部材に押しつけるねじを含むことを特徴とする請求項４に記載の光源装置。
【請求項６】
前記棒状部材は角棒であり、
前記棒状部材における前記ステムの外周面に接触する面は、前記棒状部材における他の面よりも表面粗さが大きいことを特徴とする請求項１〜５のいずれか一項に記載の光源装置。
【請求項７】
前記棒状部材は角棒であり、
前記棒状部材における前記ステムの外周面に接触する面は、前記棒状部材における他の面よりも摩擦係数が大きいことを特徴とする請求項１〜５のいずれか一項に記載の光源装置。
【請求項８】
前記棒状部材における前記ステムの外周面に接触する面は、弾性体で覆われていることを特徴とする請求項７に記載の光源装置。
【請求項９】
前記弾性体は、ゴムであることを特徴とする請求項８に記載の光源装置。
【請求項１０】
請求項１〜９のいずれか一項に記載の光源装置から射出される複数の光束のビームピッチを調整する調整方法であって、
前記光源装置の棒状部材を接線方向に移動させて、前記光源装置の光源の中心を通り該光源から射出される光束の主光線方向に平行な方向の軸回りに前記光源を回動する工程と；
前記光源から射出される複数の光束のビームピッチを計測する工程と；
前記計測されたビームピッチと所望のビームピッチとの差が許容範囲内の場合に、前記棒状部材を前記光源装置の保持部材に接着する工程と；を含む調整方法。
【請求項１１】
前記接着する工程では、紫外線硬化型の接着剤により前記接着が行われることを特徴とする請求項１０に記載の調整方法。
【請求項１２】
光束により被走査面を主走査方向に走査する光走査装置であって、
少なくとも１つの請求項１〜９のいずれか一項に記載の光源装置と；
前記少なくとも１つの光源装置からの光束を前記被走査面上に集光するとともに、前記被走査面上の光スポットを主走査方向に移動させる光学系と；を備える光走査装置。
【請求項１３】
前記少なくとも１つの光源装置における接線方向は、主走査方向であることを特徴とする請求項１２に記載の光走査装置。
【請求項１４】
少なくとも１つの像担持体と；
前記少なくとも１つの像担持体を画像情報に応じて変調された光束により走査する少なくとも１つの請求項１２又は１３に記載の光走査装置と；を備える画像形成装置。
【請求項１５】
前記画像情報は、多色の画像情報であることを特徴とする請求項１４に記載の画像形成装置。
【発明の詳細な説明】
【技術分野】
【０００１】
本発明は、光源装置、調整方法、光走査装置及び画像形成装置に係り、更に詳しくは、複数の光束を射出することができる光源装置、該光源装置におけるビームピッチを調整する調整方法、前記光源装置を有する光走査装置及び該光走査装置を備える画像形成装置に関する。
【背景技術】
【０００２】
カールソンプロセスを用いて画像を形成する画像形成装置としては、例えば、回転可能な感光体ドラムの表面を走査して、感光体ドラムの表面に潜像を形成し、この潜像を可視化して得られたトナー像を、記録媒体としての用紙上に定着させることにより、画像を形成する画像形成装置が知られている。近年、この種の画像形成装置は、オンデマンドプリンティングシステムとして簡易印刷によく用いられるようになり、画像の高密度化及び画像出力の高速化への要求が一層高まっている。
【０００３】
そこで、最近では、複数のレーザ光を射出することができるマルチビーム・レーザダイオードや、複数の発光部がモノリシックに２次元的に配列された面発光レーザアレイなどの光源を備え、該光源から射出される複数のレーザ光で、被走査面上の複数の走査線を同時に走査することができる画像形成装置が提案されている。
【０００４】
この種の画像形成装置に用いられる光走査装置では、複数のレーザ光を射出する光源を、走査光学系の光軸回りに回動することで、ビームピッチの調整が行われている。このビームピッチの調整方法に関しては、種々の技術が提案されている（例えば特許文献１〜４参照）。
【発明の概要】
【課題を解決するための手段】
【０００５】
本発明は、第１の観点からすると、円板状のステムに複数の発光部がマウントされている光源と；前記光源が保持される保持部材と；前記保持部材に取り付けられた前記光源におけるステムの外周面に接触した状態で接線方向に移動させることができる棒状部材と；を備える光源装置である。
【０００６】
これによれば、大型化及び高コスト化を招くことなく、光源から射出される複数の光束のビームピッチを精度良く調整することが可能となる。
【０００７】
本発明は、第２の観点からすると、本発明の光源装置から射出される複数の光束のビームピッチを調整する調整方法であって、前記光源装置の棒状部材を接線方向に移動させて、前記光源装置の光源の中心を通り該光源から射出される光束の主光線方向に平行な方向の軸回りに前記光源を回動する工程と；前記光源から射出される複数の光束のビームピッチを計測する工程と；前記計測されたビームピッチと所望のビームピッチとの差が許容範囲内の場合に、前記棒状部材を前記光源装置の保持部材に接着する工程と；を含む調整方法である。
【０００８】
これによれば、光源から射出される複数の光束のビームピッチを精度良く簡単に調整することが可能となる。
【０００９】
本発明は、第３の観点からすると、光束により被走査面を主走査方向に走査する光走査装置であって、少なくとも１つの本発明の光源装置と；前記少なくとも１つの光源装置からの光束を前記被走査面上に集光するとともに、前記被走査面上の光スポットを主走査方向に移動させる光学系と；を備える光走査装置である。
【００１０】
これによれば、本発明の光源装置を備えているため、大型化及び高コスト化を招くことなく、高精度の光走査を行うことが可能となる。
【００１１】
本発明は、第４の観点からすると、少なくとも１つの像担持体と；前記少なくとも１つの像担持体を画像情報に応じて変調された光束により走査する少なくとも１つの本発明の光走査装置と；を備える画像形成装置である。
【００１２】
これによれば、本発明の光走査装置を備えているため、結果として、大型化及び高コスト化を招くことなく、高品質の画像を形成することができる。
【図面の簡単な説明】
【００１３】
【図１】本発明の一実施形態に係るカラープリンタの概略構成を説明するための図である。
【図２】光走査装置の概略構成を説明するための図（その１）である。
【図３】光走査装置の概略構成を説明するための図（その２）である。
【図４】光走査装置の概略構成を説明するための図（その３）である。
【図５】光走査装置の概略構成を説明するための図（その４）である。
【図６】光源の概略構成を説明するための図である。
【図７】光源の発光部を説明するための図である。
【図８】光学ハウジングを説明するための図である。
【図９】コアハウジングを説明するための図である。
【図１０】図１０（Ａ）は、コアハウジングの外壁１２０ａを説明するための図であり、図１０（Ｂ）は図１０（Ａ）のＡ−Ａ断面図であり、図１０（Ｃ）は図１０（Ａ）のＢ−Ｂ断面図である。
【図１１】図１１（Ａ）は、コアハウジングの外壁１２０ｂを説明するための図であり、図１１（Ｂ）は図１１（Ａ）のＡ−Ａ断面図であり、図１１（Ｃ）は図１１（Ａ）のＢ−Ｂ断面図である。
【図１２】外壁１２０ａに２つの光源が取り付けられた状態を説明するための図である。
【図１３】外壁１２０ｂに２つの光源が取り付けられた状態を説明するための図である。
【図１４】調整機構１４２Ａ及び調整機構１４２Ｂを説明するための図（その１）である。
【図１５】調整機構１４２Ａ及び調整機構１４２Ｂを説明するための図（その２）である。
【図１６】図１６（Ａ）は、調整機構１４２Ａの角棒とゴム板との位置関係を説明するための図であり、図１６（Ｂ）は、調整機構１４２Ｂの角棒とゴム板との位置関係を説明するための図である。
【図１７】図１７（Ａ）は、調整機構１４２Ａと光源２２００ａのステムとの位置関係を説明するための図であり、図１７（Ｂ）は、調整機構１４２Ｂと光源２２００ｂのステムとの位置関係を説明するための図である。
【図１８】調整機構１４２Ａの作用を説明するための図（その１）である。
【図１９】調整機構１４２Ａの作用を説明するための図（その２）である。
【図２０】図２０（Ａ）及び図２０（Ｂ）は、それぞれ光源の回動による副走査方向に関する２つの発光部間の距離の調整を説明するための図である。
【図２１】調整機構１４２Ｂの作用を説明するための図（その１）である。
【図２２】調整機構１４２Ｂの作用を説明するための図（その２）である。
【図２３】調整機構１４２Ｃ及び調整機構１４２Ｄを説明するための図（その１）である。
【図２４】調整機構１４２Ｃ及び調整機構１４２Ｄを説明するための図（その２）である。
【発明を実施するための形態】
【００１４】
以下、本発明の一実施形態を図１〜図２４に基づいて説明する。図１には、一実施形態に係るカラープリンタ２０００の概略構成が示されている。
【００１５】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電チャージャ（２０３２ａ、２０３２ｂ、２０３２ｃ、２０３２ｄ）、４つの現像ローラ（２０３３ａ、２０３３ｂ、２０３３ｃ、２０３３ｄ）、４つのトナーカートリッジ（２０３４ａ、２０３４ｂ、２０３４ｃ、２０３４ｄ）、転写ベルト２０４０、定着ローラ２０５０、給紙コロ２０５４、レジストローラ対２０５６、排紙ローラ２０５８、給紙トレイ２０６０、排紙トレイ２０７０、通信制御装置２０８０、及び上記各部を統括的に制御するプリンタ制御装置２０９０などを備えている。
【００１６】
なお、本明細書では、ＸＹＺ３次元直交座標系において、各感光体ドラムの長手方向に沿った方向をＹ軸方向、４つの感光体ドラムの配列方向に沿った方向をＸ軸方向として説明する。
【００１７】
通信制御装置２０８０は、ネットワークなどを介した上位装置（例えばパソコン）との双方向の通信を制御する。
【００１８】
各感光体ドラムはいずれも、その表面に感光層が形成されている。すなわち、各感光体ドラムの表面がそれぞれ被走査面である。なお、各感光体ドラムは、不図示の回転機構により、図１における面内で矢印方向に回転するものとする。
【００１９】
感光体ドラム２０３０ａ、帯電チャージャ２０３２ａ、現像ローラ２０３３ａ、トナーカートリッジ２０３４ａ、及びクリーニングユニット２０３１ａは、組として使用され、ブラックの画像を形成する画像形成ステーション（以下では、便宜上「Ｋステーション」ともいう）を構成する。
【００２０】
感光体ドラム２０３０ｂ、帯電チャージャ２０３２ｂ、現像ローラ２０３３ｂ、トナーカートリッジ２０３４ｂ、及びクリーニングユニット２０３１ｂは、組として使用され、シアンの画像を形成する画像形成ステーション（以下では、便宜上「Ｃステーション」ともいう）を構成する。
【００２１】
感光体ドラム２０３０ｃ、帯電チャージャ２０３２ｃ、現像ローラ２０３３ｃ、トナーカートリッジ２０３４ｃ、及びクリーニングユニット２０３１ｃは、組として使用され、マゼンタの画像を形成する画像形成ステーション（以下では、便宜上「Ｍステーション」ともいう）を構成する。
【００２２】
感光体ドラム２０３０ｄ、帯電チャージャ２０３２ｄ、現像ローラ２０３３ｄ、トナーカートリッジ２０３４ｄ、及びクリーニングユニット２０３１ｄは、組として使用され、イエローの画像を形成する画像形成ステーション（以下では、便宜上「Ｙステーション」ともいう）を構成する。
【００２３】
各帯電チャージャは、対応する感光体ドラムの表面をそれぞれ均一に帯電させる。
【００２４】
光走査装置２０１０は、上位装置からの多色の画像情報（ブラック画像情報、シアン画像情報、マゼンタ画像情報、イエロー画像情報）に基づいて、各色毎に変調された光束を、対応する帯電された感光体ドラムの表面にそれぞれ照射する。これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。なお、この光走査装置２０１０の構成については後述する。
【００２５】
トナーカートリッジ２０３４ａにはブラックトナーが格納されており、該トナーは現像ローラ２０３３ａに供給される。トナーカートリッジ２０３４ｂにはシアントナーが格納されており、該トナーは現像ローラ２０３３ｂに供給される。トナーカートリッジ２０３４ｃにはマゼンタトナーが格納されており、該トナーは現像ローラ２０３３ｃに供給される。トナーカートリッジ２０３４ｄにはイエロートナーが格納されており、該トナーは現像ローラ２０３３ｄに供給される。
【００２６】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（以下、便宜上「トナー画像」という）は、感光体ドラムの回転に伴って転写ベルト２０４０の方向に移動する。
【００２７】
イエロー、マゼンタ、シアン、ブラックの各トナー画像は、所定のタイミングで転写ベルト２０４０上に順次転写され、重ね合わされてカラー画像が形成される。
【００２８】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚づつ取り出し、レジストローラ対２０５６に搬送する。該レジストローラ対２０５６は、所定のタイミングで記録紙を転写ベルト２０４０に向けて送り出す。これにより、転写ベルト２０４０上のカラー画像が記録紙に転写される。ここで転写された記録紙は、定着ローラ２０５０に送られる。
【００２９】
定着ローラ２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次スタックされる。
【００３０】
各クリーニングユニットは、対応する感光体ドラムの表面に残ったトナー（残留トナー）を除去する。残留トナーが除去された感光体ドラムの表面は、再度対応する帯電チャージャに対向する位置に戻る。
【００３１】
次に、前記光走査装置２０１０の構成について説明する。
【００３２】
光走査装置２０１０は、一例として図２〜図５に示されるように、４つの光源（２２００ａ、２２００ｂ、２２００ｃ、２２００ｄ）、４つのカップリングレンズ（２２０１ａ、２２０１ｂ、２２０１ｃ、２２０１ｄ）、４つの開口板（２２０２ａ、２２０２ｂ、２２０２ｃ、２２０２ｄ）、４つのシリンドリカルレンズ（２２０４ａ、２２０４ｂ、２２０４ｃ、２２０４ｄ）、ポリゴンミラー２１０４、４つのｆθレンズ（２１０５ａ、２１０５ｂ、２１０５ｃ、２１０５ｄ）、８つの折り返しミラー（２１０６ａ、２１０６ｂ、２１０６ｃ、２１０６ｄ、２１０８ａ、２１０８ｂ、２１０８ｃ、２１０８ｄ）、４つのトロイダルレンズ（２１０７ａ、２１０７ｂ、２１０７ｃ、２１０７ｄ）、４つの光検知センサ（２２０５ａ、２２０５ｂ、２２０５ｃ、２２０５ｄ）、４つの光検知用ミラー（２２０７ａ、２２０７ｂ、２２０７ｃ、２２０７ｄ）、及び不図示の走査制御装置などを備えている。そして、これらは、光学ハウジング２３００（図２〜図４では図示省略、図５参照）の中の所定位置に組み付けられている。
【００３３】
なお、以下では、便宜上、主走査方向に対応する方向を「主走査対応方向」と略述し、副走査方向に対応する方向を「副走査対応方向」と略述する。
【００３４】
また、便宜上、カップリングレンズ２２０１ａ及びカップリングレンズ２２０１ｂの光軸に沿った方向を「ｗ１方向」、光源２２００ａ及び光源２２００ｂにおける主走査対応方向を「ｍ１方向」とする。さらに、カップリングレンズ２２０１ｃ及びカップリングレンズ２２０１ｄの光軸に沿った方向を「ｗ２方向」、光源２２００ｃ及び光源２２００ｄにおける主走査対応方向を「ｍ２方向」とする。なお、光源２２００ａ及び光源２２００ｂにおける副走査対応方向、光源２２００ｃ及び光源２２００ｄにおける副走査対応方向は、いずれもＺ軸方向と同じ方向である。
【００３５】
ここでは、光源２２００ｂと光源２２００ｃは、Ｘ軸方向に関して離れた位置に配置されている。そして、光源２２００ａは光源２２００ｂの−Ｚ側に配置されている。また、光源２２００ｄは光源２２００ｃの−Ｚ側に配置されている。
【００３６】
カップリングレンズ２２０１ａは、光源２２００ａから射出された光束の光路上に配置され、該光束を略平行光束とする。
【００３７】
カップリングレンズ２２０１ｂは、光源２２００ｂから射出された光束の光路上に配置され、該光束を略平行光束とする。
【００３８】
カップリングレンズ２２０１ｃは、光源２２００ｃから射出された光束の光路上に配置され、該光束を略平行光束とする。
【００３９】
カップリングレンズ２２０１ｄは、光源２２００ｄから射出された光束の光路上に配置され、該光束を略平行光束とする。
【００４０】
開口板２２０２ａは、開口部を有し、カップリングレンズ２２０１ａを介した光束を整形する。
【００４１】
開口板２２０２ｂは、開口部を有し、カップリングレンズ２２０１ｂを介した光束を整形する。
【００４２】
開口板２２０２ｃは、開口部を有し、カップリングレンズ２２０１ｃを介した光束を整形する。
【００４３】
開口板２２０２ｄは、開口部を有し、カップリングレンズ２２０１ｄを介した光束を整形する。
【００４４】
シリンドリカルレンズ２２０４ａは、開口板２２０２ａの開口部を通過した光束を、ポリゴンミラー２１０４の偏向反射面近傍にＺ軸方向に関して結像する。
【００４５】
シリンドリカルレンズ２２０４ｂは、開口板２２０２ｂの開口部を通過した光束を、ポリゴンミラー２１０４の偏向反射面近傍にＺ軸方向に関して結像する。
【００４６】
シリンドリカルレンズ２２０４ｃは、開口板２２０２ｃの開口部を通過した光束を、ポリゴンミラー２１０４の偏向反射面近傍にＺ軸方向に関して結像する。
【００４７】
シリンドリカルレンズ２２０４ｄは、開口板２２０２ｄの開口部を通過した光束を、ポリゴンミラー２１０４の偏向反射面近傍にＺ軸方向に関して結像する。
【００４８】
２つのカップリングレンズ（２２０１ａ、２２０１ｂ）と２つの開口板（２２０２ａ、２２０２ｂ）と２つのシリンドリカルレンズ（２２０４ａ、２２０４ｂ）とからなる光学系は、偏向器前光学系１０２Ａとしてユニット化されている。
【００４９】
２つのカップリングレンズ（２２０１ｃ、２２０１ｄ）と２つの開口板（２２０２ｃ、２２０２ｄ）と２つのシリンドリカルレンズ（２２０４ｃ、２２０４ｄ）とからなる光学系は、偏向器前光学系１０２Ｂとしてユニット化されている。
【００５０】
ポリゴンミラー２１０４は、２段構造の４面鏡を有し、各鏡がそれぞれ偏向反射面となる。そして、１段目（下段）の４面鏡ではシリンドリカルレンズ２２０４ａからの光束及びシリンドリカルレンズ２２０４ｄからの光束がそれぞれ偏向され、２段目（上段）の４面鏡ではシリンドリカルレンズ２２０４ｂからの光束及びシリンドリカルレンズ２２０４ｃからの光束がそれぞれ偏向されるように配置されている。なお、１段目の４面鏡及び２段目の４面鏡は、互いに位相が４５°ずれて回転し、書き込み走査は１段目と２段目とで交互に行われる。
【００５１】
ここでは、シリンドリカルレンズ２２０４ａ及びシリンドリカルレンズ２２０４ｂからの光束はポリゴンミラー２１０４の−Ｘ側に偏向され、シリンドリカルレンズ２２０４ｃ及びシリンドリカルレンズ２２０４ｄからの光束はポリゴンミラー２１０４の＋Ｘ側に偏向される。
【００５２】
各ｆθレンズはそれぞれ、ポリゴンミラー２１０４の回転に伴って、対応する感光体ドラム面上で光スポットが主走査方向に等速で移動するようなパワーを有する非円弧面形状を有している。
【００５３】
ｆθレンズ２１０５ａ及びｆθレンズ２１０５ｂは、ポリゴンミラー２１０４の−Ｘ側に配置され、ｆθレンズ２１０５ｃ及びｆθレンズ２１０５ｄは、ポリゴンミラー２１０４の＋Ｘ側に配置されている。
【００５４】
そして、ｆθレンズ２１０５ａとｆθレンズ２１０５ｂはＺ軸方向に積層され、ｆθレンズ２１０５ａは１段目の４面鏡に対向し、ｆθレンズ２１０５ｂは２段目の４面鏡に対向している。また、ｆθレンズ２１０５ｃとｆθレンズ２１０５ｄはＺ軸方向に積層され、ｆθレンズ２１０５ｃは２段目の４面鏡に対向し、ｆθレンズ２１０５ｄは１段目の４面鏡に対向している。
【００５５】
そこで、ポリゴンミラー２１０４で偏向されたシリンドリカルレンズ２２０４ａからの光束は、ｆθレンズ２１０５ａ、折返しミラー２１０６ａ、トロイダルレンズ２１０７ａ、及び折返しミラー２１０８ａを介して、感光体ドラム２０３０ａに照射され、光スポットが形成される。この光スポットは、ポリゴンミラー２１０４の回転に伴って感光体ドラム２０３０ａの長手方向に移動する。すなわち、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００５６】
また、ポリゴンミラー２１０４で偏向されたシリンドリカルレンズ２２０４ｂからの光束は、ｆθレンズ２１０５ｂ、折り返しミラー２１０６ｂ、トロイダルレンズ２１０７ｂ、及び折返しミラー２１０８ｂを介して、感光体ドラム２０３０ｂに照射され、光スポットが形成される。この光スポットは、ポリゴンミラー２１０４の回転に伴って感光体ドラム２０３０ｂの長手方向に移動する。すなわち、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００５７】
また、ポリゴンミラー２１０４で偏向されたシリンドリカルレンズ２２０４ｃからの光束は、ｆθレンズ２１０５ｃ、折り返しミラー２１０６ｃ、トロイダルレンズ２１０７ｃ、及び折返しミラー２１０８ｃを介して、感光体ドラム２０３０ｃに照射され、光スポットが形成される。この光スポットは、ポリゴンミラー２１０４の回転に伴って感光体ドラム２０３０ｃの長手方向に移動する。すなわち、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【００５８】
また、ポリゴンミラー２１０４で偏向されたシリンドリカルレンズ２２０４ｄからの光束は、ｆθレンズ２１０５ｄ、折り返しミラー２１０６ｄ、トロイダルレンズ２１０７ｄ、及び折り返しミラー２１０８ｄを介して、感光体ドラム２０３０ｄに照射され、光スポットが形成される。この光スポットは、ポリゴンミラー２１０４の回転に伴って感光体ドラム２０３０ｄの長手方向に移動する。すなわち、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【００５９】
なお、各折り返しミラーは、ポリゴンミラー２１０４から各感光体ドラムに至る各光路長が互いに一致するとともに、各感光体ドラムにおける光束の入射位置及び入射角がいずれも互いに等しくなるように、それぞれ配置されている。
【００６０】
また、各ステーションでは、シリンドリカルレンズとそれに対応するトロイダルレンズとにより、偏向点とそれに対応する感光体ドラム表面とを副走査方向に共役関係とする面倒れ補正光学系が構成されている。
【００６１】
ポリゴンミラー２１０４と各感光体ドラムとの間の光路上に配置される光学系は、走査光学系とも呼ばれている。本実施形態では、ｆθレンズ２１０５ａとトロイダルレンズ２１０７ａと折り返しミラー（２１０６ａ、２１０８ａ）とからＫステーションの走査光学系が構成されている。また、ｆθレンズ２１０５ｂとトロイダルレンズ２１０７ｂと折り返しミラー（２１０６ｂ、２１０８ｂ）とからＣステーションの走査光学系が構成されている。そして、ｆθレンズ２１０５ｃとトロイダルレンズ２１０７ｃと折り返しミラー（２１０６ｃ、２１０８ｃ）とからＭステーションの走査光学系が構成されている。さらに、ｆθレンズ２１０５ｄとトロイダルレンズ２１０７ｄと折り返しミラー（２１０６ｄ、２１０８ｄ）とからＹステーションの走査光学系が構成されている。
【００６２】
光検知センサ２２０５ａには、ポリゴンミラー２１０４で偏向され、Ｋステーションの走査光学系を介した光束のうち書き込み開始前の光束の一部が、光検知用ミラー２２０７ａを介して入射する。
【００６３】
光検知センサ２２０５ｂには、ポリゴンミラー２１０４で偏向され、Ｃステーションの走査光学系を介した光束のうち書き込み開始前の光束の一部が、光検知用ミラー２２０７ｂを介して入射する。
【００６４】
光検知センサ２２０５ｃには、ポリゴンミラー２１０４で偏向され、Ｍステーションの走査光学系を介した光束のうち書き込み開始前の光束の一部が、光検知用ミラー２２０７ｃを介して入射する。
【００６５】
光検知センサ２２０５ｄには、ポリゴンミラー２１０４で偏向され、Ｙステーションの走査光学系を介した光束のうち書き込み開始前の光束の一部が、光検知用ミラー２２０７ｄを介して入射する。
【００６６】
各光検知センサはいずれも、受光量に応じた信号（光電変換信号）を出力する。
【００６７】
走査制御装置は、各光検知センサの出力信号に基づいて対応する感光体ドラムでの走査開始タイミングを検出する
【００６８】
光源２２００ａは、一例として図６に示されるように、円筒状の本体ａ１、円形板状のステムａ２、及びステムａ２から−ｗ１方向に延びる４本のリード端子ａ３を有している。また、ステムａ２にはＶ字状の切り欠きａ４が対向する２ヶ所に形成されている。
【００６９】
そして、光源２２００ａは、一例として図７に示されるように、２つの発光部（Ｌ１、Ｌ２）を有している。すなわち、光源２２００ａは、マルチビーム・レーザダイオードである。これら２つの発光部（Ｌ１、Ｌ２）は、ｗ１方向に直交する平面内で、光源２２００ａの中心を通る直線上にあり、該中心からの距離が互いに等しくなる位置に配置されている。
【００７０】
他の光源（光源２２００ｂ、光源２２００ｃ、光源２２００ｄ）もマルチビーム・レーザダイオードであり、光源２２００ａと同様な構成を有している。
【００７１】
光学ハウジング２３００は、一例として図８に示されるように、コアハウジング１２０とサブハウジング１１０を有している。
【００７２】
コアハウジング１２０は、図９に示されるように、ポリゴンミラー２１０４、４つのｆθレンズ（２１０５ａ、２１０５ｂ、２１０５ｃ、２１０５ｄ）、偏向器前光学系１０２Ａ及び偏向器前光学系１０２Ｂが収容される容体である。この容体は、一例としてアルミダイキャスト製である。
【００７３】
また、この容体の＋Ｙ側の壁面は、ＸＺ面に対して約３０度傾斜した外壁１２０ａ及び外壁１２０ｂを含んでいる。そして、外壁１２０ａには、光源２２００ａ及び光源２２００ｂが取り付けられ、外壁１２０ｂには、光源２２００ｃ及び光源２２００ｄが取り付けられている。
【００７４】
さらに、外壁１２０ａの−ｗ１側には、電装ボード１２１Ａが取り付けられ、光源２２００ａ及び光源２２００ｂのリード端子が接続されている。同様に、外壁１２０ｂの−ｗ２側には、電装ボード１２１Ｂが取り付けられ、光源２２００ｃ及び光源２２００ｄのリード端子が接続されている。各光源の各発光部には、対応する電装ボードから駆動電流が供給される。
【００７５】
外壁１２０ａには、一例として図１０（Ａ）〜図１０（Ｃ）に示されるように、光源２２００ａが取り付けられる嵌合部４５Ａと光源２２００ｂが取り付けられる嵌合部４５Ｂとが、Ｚ軸方向に隣接して形成されている。各嵌合部は、円形の段付き開口部である。ここでは、嵌合部４５Ｂが、嵌合部４５Ａの＋Ｚ側に形成されている。
【００７６】
また、外壁１２０ａの−ｗ１側の面には、嵌合部４５Ａの−Ｚ側及び嵌合部４５Ｂの＋Ｚ側に、ｍ１方向を長手方向とする溝４０がそれぞれ形成されている。
【００７７】
各溝４０には、該溝４０を跨ぐガイド４１が設けられている。ここでは、ガイド４１と溝４０との間にｍ１方向に延びる四角形状の貫通孔が形成される。そして、各ガイド４１には、−ｗ１側の面の中央に、＋ｗ１方向に延びるねじ穴が形成され、ねじ１４１が螺合されている。
【００７８】
また、外壁１２０ａの−ｗ１側の面には、嵌合部４５Ａと嵌合部４５Ｂの間に、ｍ１方向を長手方向とするリブ４３が設けられている。
【００７９】
外壁１２０ｂには、一例として図１１（Ａ）〜図１１（Ｃ）に示されるように、光源２２００ｃが取り付けられる嵌合部４５Ｃと光源２２００ｄが取り付けられる嵌合部４５Ｄとが、Ｚ軸方向に隣接して形成されている。各嵌合部は、円形の段付き開口部である。ここでは、嵌合部４５Ｃが、嵌合部４５Ｄの＋Ｚ側に形成されている。
【００８０】
また、外壁１２０ｂの−ｗ２側の面には、嵌合部４５Ｃの＋Ｚ側及び嵌合部４５Ｄの−Ｚ側に、ｍ２方向を長手方向とする溝４０がそれぞれ形成されている。
【００８１】
各溝４０には、該溝４０を跨ぐガイド４１が設けられている。ここでは、ガイド４１と溝４０との間にｍ２方向に延びる四角形状の貫通孔が形成される。そして、各ガイド４１には、−ｗ２側の面の中央に、＋ｗ２方向に延びるねじ穴が形成され、ねじ１４１が螺合されている。
【００８２】
また、外壁１２０ｂの−ｗ２側の面には、嵌合部４５Ｃと嵌合部４５Ｄの間に、ｍ２方向を長手方向とするリブ４３が設けられている。
【００８３】
図１２には、嵌合部４５Ａに光源２２００ａが取り付けられ、嵌合部４５Ｂに光源２２００ｂが取り付けられた状態が示されている。光源２２００ａにおけるステムの＋Ｚ側端部及び光源２２００ｂにおけるステムの−Ｚ側端部は、リブ４３に当接されている。
【００８４】
図１３には、嵌合部４５Ｃに光源２２００ｃが取り付けられ、嵌合部４５Ｄに光源２２００ｃが取り付けられた状態が示されている。光源２２００ｄにおけるステムの＋Ｚ側端部及び光源２２００ｃにおけるステムの−Ｚ側端部は、リブ４３に当接されている。
【００８５】
なお、各嵌合部はいずれも光源と滑合程度のはめあい公差で形成されている。このときは、各光源のステムが、嵌合部の段部に当接した状態となっている。
【００８６】
そして、一例として図１４及び図１５に示されるように、光源２２００ａのステムの−Ｚ側には、光源２２００ａの角度調整を行うための調整機構１４２Ａが設けられ、光源２２００ｂのステムの＋Ｚ側には、光源２２００ｂの角度調整を行うための調整機構１４２Ｂが設けられている。なお、図１５では、ねじ１４１の図示を省略している。
【００８７】
各調整機構は、角棒４２及びゴム板４２ａを有している。角棒４２は、ｍ１方向を長手方向とし、溝４０の長さよりも短い部材である。この角棒４２は、ガイド４１と溝４０との間の貫通孔を通って溝４０内にはめ込まれている。そして、角棒４２は、ガイド４１に支持されながら、ｍ１方向に移動（スライド）させることができる。すなわち、溝４０は、角棒４２の移動（スライド）を案内する役目を有している。また、ガイド４１は、角棒４２を摺動可能に保持する役目を有している。
【００８８】
なお、溝４０は、角棒４２と滑合程度の嵌め合い公差で作られている。これにより、角棒４２のＺ軸方向への移動が制限され、ゴム板４２ａと光源のステムとの間の摩擦力を安定化させることができる。
【００８９】
ゴム板４２ａは、一例として図１６（Ａ）及び図１６（Ｂ）に示されるように、角棒４２におけるＺ軸方向に関して光源に対向する面に形成された溝に接着されている。
【００９０】
そして、一例として図１７（Ａ）及び図１７（Ｂ）に示されるように、光源におけるステムのＺ軸方向における端部の１つが、ゴム板４２ａの表面に当接されるようになっている。これにより、ゴム４２ａの弾性力（反発力）によって光源がリブ４３の方向に付勢されることとなる。
【００９１】
なお、ガイド４１と溝４０との間に形成されている四角形状の貫通孔の大きさは、ゴム板４２ａが接着されている角棒４２を、「がたつき」なく支持できる大きさである。これにより、主走査対応方向以外の方向への角棒４２の移動が制限される。そこで、ゴム板４２ａと光源のステムとの間の摩擦力を安定化させることができる。
【００９２】
ここで、光源２２００ａ及び光源２２００ｂの角度を調整する方法について説明する。ここでの調整は、調整工程において作業者によって行われる。
【００９３】
（１）調整機構１４２Ａの角棒４２を移動（スライド）させる。これにより、光源２２００ａは、その中心を通り、ｗ１方向に平行な軸回りに回動する。ここでは、光源２２００ａのステムにおける切り欠きがほぼ予定の位置にくるように、光源２２００ａを回動する。
【００９４】
本実施形態では、図１８に示されるように、調整機構１４２Ａの角棒４２を−ｍ１方向に移動（スライド）させると、光源２２００ａを反時計回り（図１８における符号Ａの方向）に回動させることができる。また、図１９に示されるように、調整機構１４２Ａの角棒４２を＋ｍ１方向に移動（スライド）させると、光源２２００ａを時計回り（図１９における符号Ｂの方向）に回動させることができる。なお、角棒４２の移動量と光源２２００ａの回転角との間には線形の相関関係がある。
【００９５】
（２）光源２２００ａに電力を供給し、光源２２００ａの２つの発光部を点灯させる。
【００９６】
（３）２つの発光部からの各光束のＺ軸方向に関する間隔（ビームピッチ）を、ＣＣＤカメラやポジションセンサなどの計測機器を用いて計測する。
【００９７】
（４）計測によって得られたビームピッチと所望のビームピッチとの差が許容範囲内であるか否かを判断する。
【００９８】
（５）上記判断の結果、計測によって得られたビームピッチと所望のビームピッチとの差が許容範囲内でない場合には、その差の大きさ及び符合に応じて、調整機構１４２Ａの角棒４２を移動（スライド）させる。
【００９９】
例えば、光源２２００ａを、図２０（Ａ）に示される状態から角度α回転させると、図２０（Ｂ）に示されるように、２つの発光部（Ｌ１、Ｌ２）のＺ軸方向に関する距離を、ｄ１からｄ２に変化させることができる。これにより、光源２２００ａから射出される２つの光束のビームピッチが短くなる。
【０１００】
そして、上記工程（３）に戻る。一方、上記判断の結果、計測によって得られたビームピッチと所望のビームピッチとの差が許容範囲内である場合には、ガイド４１のねじ１４１を締めて（押し込んで）、調整機構１４２Ａの角棒４２を仮固定する。
【０１０１】
（６）光源２２００ａへの電力供給を止め、光源２２００ａの２つの発光部を消灯する。
【０１０２】
（７）調整機構１４２Ｂの角棒４２を移動（スライド）させる。これにより、光源２２００ｂは、その中心を通り、ｗ１方向に平行な軸回りに回動する。ここでは、光源２２００ｂのステムにおける切り欠きがほぼ予定の位置にくるように、光源２２００ｂを回動する。
【０１０３】
本実施形態では、図２１に示されるように、調整機構１４２Ｂの角棒４２を＋ｍ１方向に移動（スライド）させると、光源２２００ｂを反時計回り（図２１における符号Ａの方向）に回動させることができる。また、図２２に示されるように、調整機構１４２Ｂの角棒４２を−ｍ１方向に移動（スライド）させると、光源２２００ｂを時計回り（図２２における符号Ｂの方向）に回動させることができる。なお、角棒４２の移動量と光源２２００ｂの回転角との間には線形の相関関係がある。
【０１０４】
（８）光源２２００ｂに電力を供給し、光源２２００ｂの２つの発光部を点灯させる。
【０１０５】
（９）２つの発光部からの各光束のＺ軸方向に関する間隔（ビームピッチ）を、ＣＣＤカメラやポジションセンサなどの計測機器を用いて計測する。
【０１０６】
（１０）計測によって得られたビームピッチと所望のビームピッチとの差が許容範囲内であるか否かを判断する。
【０１０７】
（１１）上記判断の結果、計測によって得られたビームピッチと所望のビームピッチとの差が許容範囲内でない場合には、その差の大きさ及び符合に応じて、調整機構１４２Ｂの角棒４２を移動（スライド）させる。そして、上記工程（９）に戻る。一方、上記判断の結果、計測によって得られたビームピッチと所望のビームピッチとの差が許容範囲内である場合には、ガイド４１のねじ１４１を締めて（押し込んで）、調整機構１４２Ｂの角棒４２を仮固定する。
【０１０８】
（１２）光源２２００ｂへの電力供給を止め、光源２２００ｂの２つの発光部を消灯する。
【０１０９】
（１３）調整機構１４２Ａの角棒４２及び調整機構１４２Ｂの角棒４２を、紫外線硬化型の接着剤を用いて外壁１２０ａにそれぞれ接着する。
【０１１０】
これによって、光源２２００ａ及び光源２２００ｂの角度調整が完了し、光源２２００ａ及び光源２２００ｂは、角度調整された状態でコアハウジング１２０に固定される。
【０１１１】
また、一例として図２３及び図２４に示されるように、光源２２００ｃの＋Ｚ側には、光源２２００ｃの角度調整を行うための調整機構１４２Ｃが設けられ、光源２２００ｄの−Ｚ側には、光源２２００ｄの角度調整を行うための調整機構１４２Ｄが設けられている。なお、図２４では、ねじ１４１の図示を省略している。
【０１１２】
調整機構１４２Ｃ及び調整機構１４２Ｄは、上記調整機構１４２Ｂ及び調整機構１４２Ａと同じ構成を有している。
【０１１３】
そこで、調整機構１４２Ｃの角棒４２を移動（スライド）させることにより、光源２２００ｃを、その中心を通り、ｗ２方向に平行な軸回りに回動させることができる。ここでは、調整機構１４２Ｃの角棒４２を＋ｍ２方向に移動（スライド）させると、光源２２００ｃを反時計回りに回動させることができる。また、調整機構１４２Ｃの角棒４２を−ｍ２方向に移動（スライド）させると、光源２２００ｃを時計回りに回動させることができる。なお、角棒４２の移動量と光源２２００ｃの回転角との間には線形の相関関係がある。
【０１１４】
また、調整機構１４２Ｄの角棒４２を移動（スライド）させることにより、光源２２００ｄを、その中心を通り、ｗ２方向に平行な軸回りに回動させることができる。ここでは、調整機構１４２Ｄの角棒４２を−ｍ２方向に移動（スライド）させると、光源２２００ｄを反時計回りに回動させることができる。また、調整機構１４２Ｄの角棒４２を＋ｍ２方向に移動（スライド）させると、光源２２００ｄを時計回りに回動させることができる。なお、角棒４２の移動量と光源２２００ｄの回転角との間には線形の相関関係がある。
【０１１５】
図８に戻り、サブハウジング１１０には、４つのトロイダルレンズ（２１０７ａ、２１０７ｂ、２１０７ｃ、２１０７ｄ）、８つの折り返しミラー（２１０６ａ、２１０６ｂ、２１０６ｃ、２１０６ｄ、２１０８ａ、２１０８ｂ、２１０８ｃ、２１０８ｄ）、４つの光検知センサ（２２０５ａ、２２０５ｂ、２２０５ｃ、２２０５ｄ）、４つの光検知用ミラー（２２０７ａ、２２０７ｂ、２２０７ｃ、２２０７ｄ）などが保持される。
【０１１６】
また、サブハウジング１１０内の所定位置にはコアハウジング１２０が収容されている。
【０１１７】
以上の説明から明らかなように、本実施形態に係る光走査装置２０１０では、各偏向器前光学系とポリゴンミラー２１０４と各走査光学系とによって光学系が構成されている。
【０１１８】
また、本実施形態に係る光走査装置２０１０は、４つの光源装置（第１の光源装置〜第４の光源装置）を備えており、光源２２００ａと外壁１２０ａと調整機構１４２Ａとによって第１の光源装置が構成され、光源２２００ｂと外壁１２０ａと調整機構１４２Ｂとによって第２の光源装置が構成され、光源２２００ｃと外壁１２０ｂと調整機構１４２Ｃとによって第３の光源装置が構成され、光源２２００ｄと外壁１２０ｂと調整機構１４２Ｄとによって第４の光源装置が構成されている。
【０１１９】
また、上述した光源２２００ａ及び光源２２００ｂの角度を調整する方法において、本発明の調整方法が実施されている。
【０１２０】
以上説明したように、本実施形態に係る光走査装置２０１０によると、それぞれ複数の発光部を有する４つの光源（２２００ａ、２２００ｂ、２２００ｃ、２２００ｄ）と、４つの光源からの各光束をそれぞれ対応する感光体ドラムの表面に集光するとともに、該感光体ドラムの表面の光スポットを主走査方向に移動させる光学系と、該光学系が収容されるとともに、４つの光源が取り付けられる光学ハウジング２３００と、光学ハウジング２３００に取り付けられた状態で４つの光源の角度調整をそれぞれ行うための４つの調整機構（１４２Ａ、１４２Ｂ、１４２Ｃ、１４２Ｄ）とを備えている。
【０１２１】
各調整機構は、主走査対応方向に移動（スライド）させることができる角棒４２と、該角棒４２における光源に対向する面に接着され、その表面に光源のステムが当接されるゴム板４２ａとを有している。そして、角棒４２を移動（スライド）させることで光源の角度調整を行っている。
【０１２２】
ところで、従来は、光源は光源ユニットの保持部材に固定され、該光源ユニットが光学ハウジングにねじ止めされていた。そして、光源の角度調整を行う際には、ねじをゆるめて光源ユニットを回動させ、角度調整したのち、ねじを締めていた。この場合には、ねじ締めのときに、光源ユニットに狙いではない（不要な）移動あるいは回転が発生するおそれがあった。
【０１２３】
しかしながら、本実施形態では、光源のステムと調整機構のゴム板４２ａとの間の摩擦係数が大きいため、角度調整したのちに光学ハウジング２３００に外力が作用しても、光源が移動したり光源の角度が変化するおそれはほとんどない。そこで、本実施形態では、角度調整のやり直しが減り、光源の角度調整を従来よりも短時間で行うことができるため、生産性を従来よりも向上させることができる。
【０１２４】
また、角棒４２の移動量と光源の回転角との間に線形の相関関係があるため、高精度な角度調整を行うことができる。
【０１２５】
また、本実施形態の調整機構は、モータなどの駆動機構や、光学素子を取り付けるホルダーなどが不要であるため、光走査装置２０１０の小型化を図ることができる。さらに、部品点数が減少するため、部品コストを低減させることができる。
【０１２６】
そこで、大型化及び高コスト化を招くことなく、光源から射出される複数の光束のビームピッチを精度良く調整することが可能である。そして、その結果、高い精度の光走査を行うことができる。
【０１２７】
また、光源の角度調整が終了すると、調整部材の角棒４２を、紫外線硬化型の接着剤により光学ハウジング２３００に接着している。この場合には、その後の工程中に光源の角度変化が生じることはなく、調整のやり直しが不要となる。
【０１２８】
また、一つの工程内で４つの光源の角度調整をほぼ同時に行うことができるため、調整にかかる時間を従来よりも大幅に短縮することが可能である。そこで、生産性を向上させることができる。
【０１２９】
また、本実施形態に係るカラープリンタ２０００によると、光走査装置２０１０を備えているため、大型化及び高コスト化を招くことなく、高品質の画像を形成することが可能である。
【０１３０】
なお、上記実施形態では、調整機構における光源のステムと接触する弾性部材がゴム板の場合について説明したがこれに限定されるものではない。また、弾性部材に代えて、摩擦係数の高い物質を角棒４２にコーティングしても良い。また、角棒４２の表面における表面粗さを大きくするような表面処理あるいは表面加工を行い、光源のステムが当接されたときに光源のステムとの間にある程度の摩擦力が生じるようにしても良い。
【０１３１】
また、上記実施形態では、各光源が２つの発光部を有する場合について説明したが、これに限定されるものではない。要するに、各光源が複数の発光部を有していれば良い。そして、複数の発光部を有する光源が面発光レーザアレイであっても良い。さらに、発光部の数が３つ以上のとき、複数の発光部は１次元配列されていても良いし、２次元配列されていても良い。
【０１３２】
また、上記実施形態では、光源そのものを調整機構によって回動させる場合について説明したが、これに限らず、光源が他の光学素子とともにユニット化されているときには、該ユニットを調整機構によって回動させても良い。
【０１３３】
また、上記実施形態では、作業者が手動で角棒４２を移動（スライド）させる場合について説明したが、これに限らず、例えば、供給される電気信号におけるパルス数に応じて角棒４２を移動（スライド）させる駆動機構を有していても良い。
【０１３４】
また、上記実施形態では、棒状部材として角棒を用いる場合について説明したが、これに限らず、例えば、丸棒あるいは六角棒であっても良い。そして、この場合に、棒状部材の移動（スライド）を案内するための溝の形状を棒状部材の形状に応じて変更しても良い。また、ガイド４１と溝４０との間に形成される貫通孔の形状も、棒状部材の形状に応じて変更しても良い。
【０１３５】
また、上記実施形態では、角棒４２の移動（スライド）を案内するために、溝４０が外壁に形成されている場合について説明したが、これに限定されるものではなく、例えば、１本あるいは複数本のレールが外壁に形成されても良い。
【０１３６】
また、上記実施形態では、角棒４２を摺動可能に支持するために、溝４０を跨ぐ形状のガイド４１が外壁に形成されている場合について説明したが、これに限定されるものではない。要するに、光源におけるステムの外周面に接触した状態で、角棒４２を摺動可能に支持することができる形状あるいは構造であれば良い。
【０１３７】
また、上記実施形態では、角棒４２のＺ軸方向への移動が、溝４０とガイド４１の両方で制限される場合について説明したが、これに限らず、溝４０及びガイド４１の一方が、角棒４２のＺ軸方向への移動を制限しても良い。要するに、溝４０及びガイド４１の少なくとも一方によって、主走査対応方向以外の方向への角棒４２の移動が制限されれば良い。
【０１３８】
また、上記実施形態では、光学ハウジング２３００が、コアハウジング１２０とサブハウジング１１０とを有する場合について説明したが、これに限らず、コアハウジングとサブハウジングとが一体的に構成された光学ハウジングであっても良い。
【０１３９】
また、上記実施形態では、ガイド４１が溝４０に対して１つ設けられる場合について説明したが、これに限定されるものではなく、例えば、ガイド４１が溝４０に対して２つ設けられても良い。
【０１４０】
また、上記実施形態では、角棒４２を仮固定するための仮固定機構として、ねじ１４１を用いる場合について説明したが、これに限定されるものではない。例えば、クリップ状の部材を用いて、角棒４２を外壁に押しつける構造であっても良い。
【０１４１】
また、上記実施形態において、ガイド４１のねじ１４１による仮固定が十分でないときは、角棒４２におけるねじ１４１に対向する面にねじ１４１の先端部が押し込まれる溝を設けても良い。
【０１４２】
また、上記実施形態において、光源の角度調整後で、接着前に角棒４２が移動するおそれがないときには、前記ガイド４１のねじ１４１はなくても良い。
【０１４３】
また、上記実施形態において、角棒４２に、作業者が角棒４２を移動（スライド）させる際に取っ手となるハンドルが付加されていても良い。
【０１４４】
また、上記実施形態において、溝４０の近傍に、角棒４２の移動（スライド）量、すなわち、光源の回動量がわかるような目盛（スケール）が付加されていても良い。
【０１４５】
また、上記実施形態では、調整機構によって、複数の発光部における副走査対応方向に関する発光部間隔を調整する場合について説明したが、これに限らず、複数の発光部における任意の方向に関する発光部間隔を調整することができる。
【０１４６】
また、上記実施形態では、調整部材の角棒４２を光学ハウジング２３００に接着する際に、紫外線硬化型の接着剤を用いる場合について説明したが、これに限らず、紫外線硬化型以外の接着剤、例えば電子線硬化型の接着剤、あるいは熱硬化型の接着剤を用いても良い。
【０１４７】
また、上記実施形態では、光走査装置が４つの光源を有する場合について説明したが、これに限らず、例えば、２つの光源を有する光走査装置を２つ用いても良い。
【０１４８】
また、上記実施形態では、画像形成装置として、複数の感光体ドラムを備えたカラープリンタ２０００の場合について説明したが、これに限らず、例えば１つの感光体ドラムを複数の光束で走査し、単色の画像を形成するプリンタにも適用することができる。この場合には、複数の発光部を有する光源が１つであっても良い。
【０１４９】
また、上記実施形態では、光走査装置２０１０がプリンタに用いられる場合について説明したが、プリンタ以外の画像形成装置、例えば、複写機、ファクシミリ、又は、これらが集約された複合機にも好適である。
【産業上の利用可能性】
【０１５０】
以上説明したように、本発明の光走査装置によれば、大型化及び高コスト化を招くことなく、被走査面における走査線間隔を精度良く調整するのに適している。また、本発明の画像形成装置によれば、大型化及び高コスト化を招くことなく、高品質の画像を形成するのに適している。
【符号の説明】
【０１５１】
４０…溝（案内用の溝）、４１…ガイド（支持部）、４２…角棒（棒状部材）、４２ａ…ゴム板（ゴム）、１０２Ａ…偏向器前光学系（光学系の一部）、１０２Ｂ…偏向器前光学系（光学系の一部）、１２０ａ…外壁（保持部材）、１２０ｂ…外壁（保持部材）、１４１…ねじ（仮固定機構）、２０００…カラープリンタ（画像形成装置）、２０１０…光走査装置、２０３０ａ〜２０３０ｄ…感光体ドラム（像担持体）、２１０４…ポリゴンミラー（光学系の一部）、２１０５ａ〜２１０５ｄ…ｆθレンズ（光学系の一部）、２１０６ａ〜２１０６ｄ…折り返しミラー（光学系の一部）、２１０７ａ〜２１０７ｄ…トロイダルレンズ（光学系の一部）、２１０８ａ〜２１０８ｄ…折り返しミラー（光学系の一部）、２２００ａ〜２２００ｄ…光源、２３００…光学ハウジング、ａ２…ステム。
【先行技術文献】
【特許文献】
【０１５２】
【特許文献１】特開２００６−１７１３１６号公報
【特許文献２】特開平１０−０１０４４７号公報
【特許文献３】特開平１０−３１９３３８号公報
【特許文献４】特許第３６６８０５３号公報
【図１】
2010169775.tif 000003
【図２】
2010169775.tif 000004
【図３】
2010169775.tif 000005
【図４】
2010169775.tif 000006
【図５】
2010169775.tif 000007
【図６】
2010169775.tif 000008
【図７】
2010169775.tif 000009
【図８】
2010169775.tif 000010
【図９】
2010169775.tif 000011
【図１０】
2010169775.tif 000012
【図１１】
2010169775.tif 000013
【図１２】
2010169775.tif 000014
【図１３】
2010169775.tif 000015
【図１４】
2010169775.tif 000016
【図１５】
2010169775.tif 000017
【図１６】
2010169775.tif 000018
【図１７】
2010169775.tif 000019
【図１８】
2010169775.tif 000020
【図１９】
2010169775.tif 000021
【図２０】
2010169775.tif 000022
【図２１】
2010169775.tif 000023
【図２２】
2010169775.tif 000024
【図２３】
2010169775.tif 000025
【図２４】
2010169775.tif 000026